(57)【要約】      （修正有）【課題】灯油缶やポリタンク等の包装を簡素化し又景観もよくするための包装用袋を提供する。【解決手段】袋の開口部付近ではなく、接着部付近の側面両側に取っ手用の穴又は半円状の切れ込みを入れ、更に折り畳み部両側に破線状の切り込みをもうけ、ずり上がり防止の為に当該品開口部の最端部にゴムを入れる。これによって包装の際に単独で容易に作業を行なう事が出来て袋の景観も向上させ、包装したままでも内容物の汲み出しが可能となる。【選択図】図６
0003109929.tif 000002
【実用新案登録請求の範囲】
【請求項１】
筒状フィルムを扁平に折り  その折り目の部位の上部両側に半円形をした破線状の切れ込みを入れ  次に  当該折り目両側を内側に折りこみマチ部を作り  開口部片側を接着し袋状とし  接着部位付近の側面両側に取っ手用の穴  又は  半円状の切り込みを入れた袋
【請求項２】
前記袋の開口部分の下端縁を内側に折りこみ  折り込み部位を中空に保ち、最端部を筒状フィルム内側に接着し中空部分にシャーリングゴム等を通しゴムの輪を形成させた  包装用の袋  又は  開口部分下端縁の円周上にシャーリングゴム等を縫い付けた包装用の袋
【考案の詳細な説明】
【技術分野】
【０００１】  本考案は  容器の包装形態に関するもので、例えば、取っ手の付いた容器に適用される物である
【背景技術】
【０００２】  従来の包装形態は袋に入れて開口部を縛るだけの物が有る（例えばゴミ袋に入れたゴミを収集場所に出すとき等）
また  、開口部をチャックで閉じた物も有る（例えば特許文献１参照）
【特許文献１】    特開２００３−０９５２７８
【考案の開示】
【考案が解決しようとする課題】
【０００３】  以上に述べた従来の包装用袋は容器を包装すると取っ手も一緒に包装されるので使用の際に袋のフィルムが邪魔になり持ちにくい
又  開口部を上にして袋を開け  容器を包装する為に容器を持ち上げ開口部より容器を中に入れ包装しようとすると、重量物では  女性や子供では単独で容易に行なえない
更に  包装したまま繰り返し移載を行なうと袋の底部より  容易に破れてきて見た目を悪くする物である
又  包装を単独で容易にする為に容器のサイズに合わない  大き目の袋を使用すると  それによって包装完了時  袋に余計なシワが出来てしまい  製品の景観を損ない  包装袋に記載された文字の判別を困難にさせていた
又  一度  包装してしまうと内容物を取り出す際  その都度  開封しなければならない【０００４】  本考案は、このような従来の構成が有していた問題を解決しようとする物であり、容器の包装を簡易にし  また  包装時の包装袋の景観をよくする為の物である
【課題を解決する為の手段】
本発明は上記課題を解決するために  袋の開口部付近ではなく  接着部付近の側面両側に取っ手用の穴  又は半円状の切れ込みを入れ  更に  折り畳み部両側に破線状の切り込みをもうけ  また  ずり上がり防止の為に当該品最端部にゴムを入れる物である
【０００５】  上記の課題解決手段による作用は次の通りである
袋を容器の底部より被せるのではなく、上部より被せることにより、袋の接着部付近の側面両側に開けられた二つの穴  又は半円形の切れ込みが取っ手部分に来ることにより  その穴  又は切れ込みの部位より指又は保持器を差し入れる事が出来る
【考案の効果】
【０００６】  この事により従来の様な包装した容器の取っ手を握る際の該当部位の余分な袋が無くなり  従来の物と比べると取っ手をしっかり保持する事が可能となる
更に  上部より袋を被せる事による  重量物の包装の困難から開放される
又  この際に開口部が下に来るので  度重なる使用による  袋下部の裂傷等が無くなる  又  上部より袋を被せるということは  下部から被せる際に比べ  作業が単独で容易に  かつ  安定した包装作業が出来る
このことにより  単独で包装する際の片手で容器の取っ手を保持しながらの不安定な作業による  包装の簡易を目的とした  容器のサイズよりかなり大きめの袋を使用した事による  袋に出来るシワを著しく軽減することが可能になる
つまり  容器に適したサイズでの包装が単独で可能となり
袋表面に印刷した  商品説明やプリントされた柄などの識別を著しく向上させる
この事により  従来ではコストの面で実現がされていない  １８Ｌのポリタンク又は灯油缶に  あたかもカラープリントを施したのと同様な効果が現れ  今までに無い優れたＰＲ効果が期待される物である  又  破線状の切り込み部位より円形にフィルムを除去する事により  包装された状態での内容物の取り出しが容易になり
又  開口部の最端部に付属のゴムにより  当該包装袋を容器に対してより確実に包装せしめる物である
【考案を実施する為の最良の形態】
【０００７】  以下、本考案の実施の形態を図１−図１０に基づいて説明する
【０００８】  図１は本考案の袋である  図２において  袋底部を適宜開け図３においての容器に被せる、図４においては  図３に図２を使用している斜視図である  図５においては  図４の下部からの斜視図である  図６においては破線状の切り込み部位のフィルムを取り除いた図である  図７に置いては図４の下部の接近図である  図８においては  筒状フィルムを扁平に折り破線状の切れ込みを付け  取っ手用の穴を貫通させた図である  図９においては点線を付けた当該折り目を内側に折り込み取っ手側開口部を接着し  もう一方の開口部にシャーリングゴムを縫い付けた図である
【図面の簡単な説明】
【０００９】
【図１】  本考案の前面図
【図２】  本考案底部よりの斜視図
【図３】  本考案を実施する際の容器の一例
【図４】  本考案使用時の上部よりの斜視図
【図５】  本考案使用時の下部よりの斜視図
【図６】  本考案使用時の一形態の斜視図
【図７】  本考案使用時の下部接近図
【図８】  本考案の筒状フィルムに破線状の切れ込みを入れた図
【図９】  開口部にシャーリングゴムを縫い付けた図
【符号の説明】
【００１０】  １  本考案の本体
２Ａ  穴
２Ｂ  穴
３  接着部
４  プリント柄
５  開口部
６  マチ部
７  容器の取っ手
８  容器
９  シャーリングゴム
１０Ａ  破線状の切れ込み
１０Ｂ  破線状の切れ込み
【図１】
0003109929.tif 000003
【図２】
0003109929.tif 000004
【図３】
0003109929.tif 000005
【図４】
0003109929.tif 000006
【図５】
0003109929.tif 000007
【図６】
0003109929.tif 000008
【図７】
0003109929.tif 000009
【図８】
0003109929.tif 000010
【図９】
0003109929.tif 000011
【手続補正書】
【提出日】平成16年6月7日(2004.6.7)
【手続補正１】
【補正対象書類名】実用新案登録請求の範囲
【補正対象項目名】請求項２
【補正方法】削除
【補正の内容】
【手続補正書】
【提出日】平成16年9月29日(2004.9.29)
【手続補正１】
【補正対象書類名】手続補正書
【補正対象項目名】手続補正１
【補正方法】変更
【補正の内容】
【手続補正１】
【補正対象書類名】明細書
【補正対象項目名】実用新案登録請求の範囲
【補正方法】変更
【補正の内容】
【書類名】実用新案登録請求の範囲
【請求項１】
筒状フィルムを扁平に折り  その折り目の部位の上部両側に半円形をした破線状の切れ込みを入れ次に  当該折り目両側を内側に折りこみマチ部を作り  開口部片側を接着し袋状とし  接着部位付近の側面両側に取っ手用の穴  又は  半円状の切り込みを入れた袋